(57)【特許請求の範囲】
【請求項１】
走行車の前部に搭載され、上方の開口が開閉可能な蓋体によって閉塞される投下口を有する回収ボックスと、該回収ボックスの上昇及び傾転を行う昇降手段と、粒体等除去面上の粒体等を吸引する吸引ノズルを有し、前記回収ボックスの先端側に前記粒体等除去面に沿って上下動自在に設けられたノズル装置と、前記吸引ノズルと回収ボックスとの間に接続された吸引管と、前記回収ボックスの蓋体に搭載され、前記吸引ノズルから吸引管を介して該回収ボックス内に粒体等を吸引するための吸引装置とを有し、前記昇降手段により前記回収ボックスを傾転させて内部に収容された粒体等を前記投下口から排出させるように構成してなる粒体等の吸引回収装置。
【請求項２】
前記回収ボックスには、外部吸引管を接続するための開閉弁付き接続口部を設けてあることを特徴とする請求項１記載の粒体等の吸引回収装置。
【請求項３】
前記ノズル装置は、前記粒体等除去面に沿って各自に上下動自在なように分割して構成してあることを特徴とする請求項１記載の粒体等の吸引回収装置。
【請求項４】
前記吸引ノズルの外側は、前記粒体等除去面に摺接するノズル遮蔽カバーで囲繞してあることを特徴とする請求項１記載の粒体等の吸引回収装置。
【請求項５】
前記回収ボックスに支持させて前記吸引ノズルの前方に回転ブラシを設けたことを特徴とする請求項１記載の粒体等の吸引回収装置。
【請求項６】
前記蓋体は、前記回収ボックスの傾転動作に連動して投下口を開放するように設けてあることを特徴とする請求項１記載の粒体等の吸引回収装置。
【請求項７】
前記回収ボックスは前記走行体にセンターピンを介して左右方向に揺動可能に支持させてあることを特徴とする請求項１記載の粒体等の吸引回収装置。
【請求項８】
前記走行体はホイールローダであり、前記回収ボックスは該ホイールローダの昇降手段により傾転可能に支持させてあることを特徴とする請求項１記載の粒体等の吸引回収装置。
【発明の詳細な説明】
【０００１】
【発明が属する技術分野】
本発明は、降雪地で圧雪或は凍結状態の路面に散布した滑り止め用砂、埠頭での移載時に散乱した穀物、製紙工場で扱うチップ等の粒体や細片（以下粒体等という。）を除去するための粒体等の吸引回収装置に関する。
【０００２】
【従来の技術】
圧雪路面や凍結路面に砂を散布して車両のスリップを防止することは従来から広く行なわれており、スリップ防止には相応の効果を上げている。しかし、春先になり雪が融解して路面が露出すると路面に多量の滑り止め砂が残留する。この残留した滑り止め砂は、その一部は雪解け時に融雪水と共に、また降雨時には雨水と共に排水溝に流出するが、その余は路面の傾き、凹凸部、轍等に残留したままになり、逆に制動時に車両のスリップを助長する場合もある。また、滑り止め砂は車両の発進、制動時にタイヤと路面との間で研磨されるため、粉塵になって大気を汚染するといった問題もある。
【０００３】
従来、走行しながら路面の清掃をする清掃車として、例えば特開平９−７１９１５号公報には、車両に搭載した水タンクと、該水タンクの水を高圧で送り出すための高圧水発生装置と、該高圧水発生装置から送り出された高圧水を路面に噴射して路面上のごみ類を一定方向に寄せ集めるための複数のノズルと、寄せ集められたごみ類を吸上げて車両に搭載したホッパ内に集積させるようにした清掃車が開示されている。また、実開平３−１２９１４号公報には、ホッパーを担持した運搬装置と、ごみ拾あげフードと、前記フードから空気を吸い込みホッパーに送り込むブロアを配備した自走式掃除車において、前記フードを運搬装置の前側で、上下方向に昇降可能に配設し、フード内にごみ等を掻き上げるタインを突出した櫛状の回転するピックアップ装置を具備した掃除車が開示されている。
【０００４】
しかし、上述した従来技術は路面のごみ等を除去して清掃する車両であり、軽量の埃やごみ等を吸引するが、滑り止め砂のような重さのある砂を回収する使用目的はないものであるため、滑り止め砂を吸引することは可能であるとしても吸い残しがあり、効率が悪いという問題がある。このため、雪が解けて路面が乾燥した頃に作業員が竹帚等で砂の回収作業を行なっているのが現状であるが、埃が立ち込めて非健康的であるし、効率が悪いという問題がある。
【０００５】
また、埠頭で大豆、麦、トウモロコシ等の穀物の積み換え作業を行う場合や、製紙工場で木材のチップの積み換え作業を行う場合にはグラブバケットを用いるが、この際に相当量の粒体等が落下して埠頭や敷地内を汚してしまうという問題がある。従来は埠頭や工場内といった作業場での問題であることから、作業員が竹帚等で回収しているのが現状であり、作業能率が悪いという問題がある。
【０００６】
【発明が解決しようとする課題】
本発明は上述した従来技術の欠点に鑑みなされたもので、滑り止め砂を散布した路面や穀物が散乱する埠頭或はチップが散乱する製紙工場の敷地面等の粒体等除去面から粒体等を効率よく回収することができるし、除去面の凹凸や傾斜に影響されることなく確実に回収することができるようにし、また回収した粒体等を所定の場所に投棄或は集積する作業も効率的に行うことができるようにした粒体等の吸引回収装置を提供することを目的とする。
【０００７】
【課題を解決するための手段】
上述した課題を解決するために構成された本発明の手段は、走行車の前部に搭載され、上方の開口が開閉可能な蓋体によって閉塞される投下口を有する回収ボックスと、該回収ボックスの上昇及び傾転を行う昇降手段と、粒体等除去面上の粒体等を吸引する吸引ノズルを有し、前記回収ボックスの先端側に前記粒体等除去面に沿って上下動自在に設けられたノズル装置と、前記吸引ノズルと回収ボックスとの間に接続された吸引管と、前記回収ボックスの蓋体に搭載され、前記吸引ノズルから吸引管を介して該回収ボックス内に粒体等を吸引するための吸引装置とを有し、前記昇降手段により前記回収ボックスを傾転させて内部に収容された粒体等を前記投下口から排出させるようにしたものからなる。
【０００８】
そして、前記回収ボックスには、外部吸引管を接続するための開閉弁付き接続口部を設ける構成にするとよい。
【０００９】
また、前記ノズル装置は、粒体等除去面に沿って各自に上下動自在なように分割して構成するとよい。
【００１０】
また、前記吸引ノズルの外側は、粒体等除去面に摺接するノズル遮蔽カバーで囲繞する構成にするとよい。
【００１１】
更に、前記回収ボックスに支持させて前記吸引ノズルの前方に回転ブラシを設ける構成にするとよい。
【００１２】
また、前記蓋体は、前記回収ボックスの傾転動作に連動して前記投下口を開放するように設けるとよい。
【００１３】
また、前記回収ボックスは前記走行体にセンターピンを介して左右方向に揺動可能に支持させた構成にするとよい。
【００１４】
そして、前記走行体はホイールローダーであり、前記回収ボックスは該ホイールローダーの昇降手段により傾転可能に支持させた構成にするとよい。
【００１５】
【発明の実施の形態】
以下、本発明の実施の形態として、車両等の滑り止めのために路面Ａに散布した砂（以下、散布砂という）を回収するための路面散布砂の吸引回収装置を例に挙げて図面に基づき詳述する。図において、１は走行車としてのホイールローダ、２は該ホイールローダ１の前側に設けられた昇降手段で、該昇降手段２はリフトアーム３と、該リフトアーム３に固着したブラケット４と、該ブラケット４に中間位置でピン結合したＺリンク５と、該Ｚリンク５の下端側にピン結合したリンク６と、Ｚリンク５の上端側とホイールローダ１との間にピン結合した油圧シリンダ７とから構成してある。
【００１６】
８は前記昇降手段２に支持された砂回収ボックス、９は該砂回収ボックス８を構成し、散布砂を収容するためのボックス本体で、該ボックス本体９は略Ｕ字状に形成した基板９Ａと、該基板９Ａの両側に固着した側板９Ｂ、９Ｂとから構成することにより、上方の開口は砂投下口９Ｃになっている。そして、該各側板９Ｂには、上部寄りに位置して砂の回収量を確認するために透明板で閉塞した目視窓１０が設けてある。１１、１１はボックス本体９の下部側にブラケット１１Ａを介して軸支された一対の支持ローラで、該各支持ローラ１１は砂回収ボックス８を路面Ａに対して一定の高さに保持するものである。１２は前記砂投下口９Ｃを常時は閉塞する蓋板で、該蓋板１２には吸込み穴１２Ａ（但し、図示せず）が形成してあり、内周縁にはボックス本体９との間の気密を保持するためのゴムリング（但し、図示せず）が周設してある。そして、蓋板１２は後端側１２Ｂが前記ボックス本体９の上端後方にピン結合されて砂投下口９Ｃを開閉可能になっている。
【００１７】
１３は路面Ａの中央側（内側）に散布されている散布砂を吸引するための内側ノズル装置を示す。１４は該内側ノズル装置１３を構成し、後述するノズル本体１８を支持する可動支持体で、該可動支持体１４はボックス本体９に軸支持体１５を介して上端側が軸支された横長の支持基板１４Ａと、該支持基板１４Ａに固着され、斜め前方に突出する前側板１４Ｂとから構成してある。１６はノズル本体１８が路面Ａを噛るのを防止するため、可動支持体１４の両端に立設した一対の路面摺動板で、該各路面摺動板１６は後端側が支持基板１４Ａに軸支され、先端側に穿設した縦方向ガイド穴１６Ａに前記前側板１４Ｂに固着した連動ピン１７を嵌入した構成にしてある。そして、路面摺動板１６は縦方向ガイド穴１６Ａの長さの範囲で路面Ａの微小凹凸に沿って上下動し、路面Ａが大きく盛り上がっている場合には連動ピン１７を介して可動支持体１４を上方に持ち上げることによりノズル本体１８を保護するようになっている。
【００１８】
１８、１８、１８は可動支持体１４に支持されたノズル本体で、該各ノズル本体１８は基端側１８Ａを円筒状に、先端側１８Ｂを横長扁平状に形成した形状からなり、先端側１８Ｂを支持基板１４Ａに嵌合した状態で固着されている。
【００１９】
他方、１９は路面Ａの路肩側（外側）に散布されている散布砂を吸引するための外側ノズル装置を示す。該外側ノズル装置１９の基本構成は内側ノズル装置１３と同様であるが、内側ノズル装置１３より狭幅に設定してある。２０は外側ノズル装置１９を構成する可動支持体で、該可動支持体２０も横長の支持基板２０Ａと斜め前方に突出する前側板２０Ｂとから構成してあり、支持基板２０Ａは上端側がボックス本体９に軸支持体２１を介して回動可能に軸支されている。
【００２０】
２２、２２は可動支持体２０の両端に立設した一対の路面摺動板で、該各路面摺動板２２は後端側が支持基板２０Ａに軸支され、先端側に穿設した縦方向ガイド穴２２Ａに前記前側板２０Ｂに固着したガイドピン２３を嵌入した構成にしてある。なお、一対の路面摺動板２２、２２の機能と、縦方向ガイド穴２２Ａ及びガイドピン２３の作動は前記路面摺動板１６、縦方向ガイド穴１６Ａ及びガイドピン１７と同様である。
【００２１】
２４、２４は可動支持体２０に支持された可動ノズル本体で、該各可動ノズル本体２４は前記ノズル本体１８と同様に基端側２４Ａを円筒状に、先端側２４Ｂを横長扁平状に形成した形状からなっている。そして、ノズル本体２４の先端側２４Ｂは、支持基板２０Ａに略ハ字状に固着した一対の円弧状ガイド板２５、２５に回動可能に支持されており、ノズル本体２４が路面Ａの左右方向の傾斜に沿って回動するようにしてある。
【００２２】
２６、２６、・・・は内側ノズル装置１３の各ノズル本体１８及び外側ノズル装置１９の各ノズル本体２４に先端側２６Ａが夫々接続された吸引管で、該各吸引管２６にはノズル本体１８、２４の上下方向の揺動を吸収するためフレキシブル管を用いている。また、ノズル本体２４、２４と吸引管２６、２６との間にはノズル本体２４が回動可能なようにスイベル継手２７が介装してある。そして、各吸引管２６は基端側２６Ｂがボックス本体９の上部側に設けた接続口部２８、２８、・・・に接続してある。
【００２３】
更に、２９はボックス本体９の上部側に他の接続口部２８と同様に設けた開閉弁付き接続口部で、該開閉弁付き接続口部２９は外部吸引管３０を接続するためのものである。この外部吸引管３０は先端にノズル３０Ａが設けてあり、例えば路面Ａの凹部内に滞留するためにノズル本体１８では吸引されなかった散布砂を吸引するために、作業員が手で支えながら操作するものである。
【００２４】
また、３１は内側ノズル装置１３に搭載した回転ブラシ装置で、該回転ブラシ装置３１は両端が路面摺動板１６、１６に枢支された回転軸３２と、該回転軸３２の外周に植設されたブラシ本体３３と、回転軸３２の一端側に嵌着した歯付きプーリー３４と、可動支持体１４に搭載された電動モーター、油圧モーター、エヤータービン等の駆動モーター３５と、該駆動モーター３５の駆動プーリー３６と歯付きプーリー３４との間に巻装された駆動ベルト３７とから構成してある。そして、上述の構成からなる回転ブラシ装置３１は、路面Ａの散布砂をノズル本体１８側に掻き寄せる作用、粒径の大きい砂を動かすことにより吸引され易いようにする作用、或は路面Ａに付着した状態の散布砂を剥す作用等を行なうことにより、ノズル本体１８による散布砂の吸引をより確実に行なわせるものである。
【００２５】
なお、本実施の形態では内側ノズル装置１３に回転ブラシ装置３１を搭載したが、外側ノズル装置１９にも回転ブラシ装置を搭載してもよいものである。
【００２６】
更に、３８、３９はノズル本体１８、回動ノズル本体２４を囲繞するように可動支持体１４、２０の外縁に夫々設けたゴム等の弾性材からなるノズル遮蔽カバーである。該ノズル遮蔽カバー３８、３９は、下端側が粒体等除去面Ａに摺接してノズル本体１８、回２４の周辺を外部から遮断状態することにより可及的に負圧状態にし、ノズル本体１８、回動ノズル本体２４の吸引効果をより高めることを目的とするものである。
【００２７】
４０はノズル本体１８、２４から各吸引管２６を介して砂回収ボックス８内に砂を吸引するための吸引装置を示す。該吸引装置３８は砂回収ボックス８の蓋体１２に吸込み穴１２Ａに臨んで搭載された電動式或は油圧式のブロアー４０Ａと、ボックス本体９内に位置して蓋体１２に設けられ、ブロアー４０Ａ内への散布砂の吸い込みを防止するためのフィルター４０Ｂと、散布砂が接続口部２８、２９から該フィルター４０Ｂに直接吸引されるのを防止するために、フィルター４０Ｂと接続口部２８、２９との間に設けられて散布砂をボックス本体９内下方に誘導するための邪魔板４０Ｃと、ブロアー４０Ａを覆うカバー４０Ｄと、該カバー４０Ｄから突設された排気筒４０Ｅとから構成してある。
【００２８】
なお、吸引装置４０は必ずしも蓋体１２に搭載する必要はないが、このように構成することにより、蓋体１２がボックス本体９の砂投下口９Ｃを密閉する重しの役割を果たす利点がある。
【００２９】
本実施の形態に係る路面散布砂の吸引回収装置は上述の構成からなるが、次にその作動について説明する。昇降手段２を下降させ、支持ローラ１１、１１を路面Ａに接地させて砂回収ボックス８を所定の高さにする。この状態で吸引装置４０のブロアー４０Ａを始動し、ホイールローダー１を走行する。内側及び外側ノズル装置１３、１９は路面摺動板１６、１６、２２、２２に支持され、また連動して路面Ａ状況に応じて上下動し、ノズル本体１８、回動ノズル本体２４は路面Ａに近接した状態を保持しながら散布砂を吸引する。吸引された散布砂は吸引管２６を介してボックス本体９内に回収される。この場合、ボックス本体９内に邪魔板４０Ｃを設けて吸引された散布砂を下方に誘導することにより、散布砂がブロアー４０Ａに直接吸い込まれることを防止している。
【００３０】
ボックス本体９内に相応の散布砂を収容したことを目視窓１１で確認したら、投棄場まで或はダンプトラックまで走行して昇降手段２により砂回収ボックス８を持ち上げ、油圧シリンダ７を縮小させてリンク６を前方に突出させることにより図９に示すようにボックス本体９を前方に傾転させる。ボックス本体９を９０度以上傾斜させると、吸引装置４０が重りとなって蓋体１２が垂直状態になろうとすることからボックス本体９から離反し、砂投下口９Ｃが開放されることにより散布砂を図示するように投棄することができる。
【００３１】
上述のように、本実施の形態によれば、砂回収ボックス８を昇降手段２により傾転動作させるだけで蓋体１２を自動的に開蓋させ、ボックス本体９から散布砂を排出することができるので、極めて作業効率に優れている。
【００３２】
なお、本実施の形態では昇降手段２に砂回収ボックス８を直接接続したが、センターピンを介して砂回収ボックス８をチルト可能に構成してもよい。このように構成することにより、内側及び外側ノズル装置１３、１９を路面Ａの傾斜により追随させて散布砂の回収効率を高めることができる。
【００３３】
また、本実施の形態では走行体にホイールローダ１を用い、路面散布砂の吸引回収装置をホイールローダ１の前側に搭載したが、例えば走行体にトラクターを用い、トラクターの後側の作業機取付部に粒体等の吸引回収装置を搭載してもよいものである。
【００３４】
更に、本発明に係る粒体等の吸引回収装置は上述した散布砂の回収のみならず、穀物や木材のチップ等の他の粒体の吸引回収に用いてもよい。チップは最大長さで約３０ｍｍ程度あり、穀物に比較すると形状も大きいが、比重が小さいので吸引回収する対象物としては好適である。また、吸引する対象物に応じて吸引に最適なようにノズル本体の開口面積、開口断面形状を設計するとよい。
【００３５】
【発明の効果】
本発明は以上詳述した如く構成したから、下記の諸効果を奏する。
（１）回収ボックスは走行体の前部に搭載し、昇降手段によって上昇及び傾転可能にしたから、吸引装置により粒体等を吸引回収する作業状態の確認や回収量のチェックを容易に行うことができるし、回収した粒体等の排出作業において回収ボックスからトラック等への積み込み作業や作業の取り回しを容易に行うことができる。
（２）回収ボックスは上方に開口する投下口を有しているから、ホイールローダがバケットから排土するように、昇降手段によって傾転させて投下口を下方に向けることにより、収容する粒体等を速やかに排出することができる。しかも、蓋体はボックス本体を傾転させるだけで回動して投下口を開放するようにしたから、ボックス本体内に収容している粒体等の投棄を容易に、速やかに行うことができる。
（３）吸引装置は蓋体に設けたから、蓋体がボックス本体の砂投下口を密閉する重しの役割を果すと共に、回収ボックスの容量を確保することができる。
（４）走行体により路面等の粒体等除去面に沿って移動するノズル装置によって粒体等を吸引し、回収ボックスに収容するようにしたから、確実にまた効率的に粒体等を回収することができるし、作業員の数を大幅に削減できるから人件費の低減を図ることができる。
（５）ノズル装置は粒体等除去面に沿って各自に上下動自在に分割して構成したから、例えば路面の散布砂を回収する場合において、中央側に対して傾斜角度が異なる路肩側でも確実に散布砂を吸引することができる。
（６）吸引ノズルの外側をノズル遮蔽カバーで外部から遮断するようにしたから、吸引ノズルの周囲を負圧状態にすることができ、吸引効果をより高めることができる。
（７）回収ボックスはセンターピンを介して走行体にチルト可能に設けることによりノズル装置を路面の傾斜により正確に追随させることができるから、粒体等の回収効率を高めることができる。
（８）走行体にホイールローダを用い、回収ボックスは該ホイールローダの昇降手段に支持させた構成にすることにより、道路状況等の作業環境に応じて小回り可能に回収作業を行うことができるし、回収ボックス内に回収した粒体等の投棄作業を容易に行うことができる。また、吸引回収装置は昇降手段にアタッチメントとして着脱して使用できるから、他の作業にも使用するホイールローダの有効利用を図ることができる。
【図面の簡単な説明】
【図１】本発明の実施の形態る路面散布砂の吸引回収装置をホイールローダに搭載した状態の側面図である。
【図２】路面散布砂の吸引回収装置の正面図である。
【図３】路面散布砂の吸引回収装置の背面図である。
【図４】路面散布砂の吸引回収装置を正面から見た部分拡大図である。
【図５】路面散布砂の吸引回収装置の部分左側面図である。
【図６】図４中のＶＩ−ＶＩ矢示方向拡大端面図である。
【図７】図４中のＶＩＩ−ＶＩＩ矢示方向拡大端面図である。
【図８】可動ノズル本体の正面図である。
【図９】回収ボックスを傾転させて散布砂を投下する動作を示す説明図である。
【符号の説明】
１        ホイールローダ
２        昇降手段
８        砂回収ボックス
９        ボックス本体
１２      蓋体
１３      内側ノズル装置
１８      ノズル本体
１９      外側ノズル装置
２４      可動ノズル本体
２６      吸引管
２９      開閉弁付き接続口部
３０      外部吸引管
３１      回転ブラシ装置
４０      吸引装置
【図１】
0003709478.tif 000002
【図２】
0003709478.tif 000003
【図３】
0003709478.tif 000004
【図４】
0003709478.tif 000005
【図５】
0003709478.tif 000006
【図６】
0003709478.tif 000007
【図７】
0003709478.tif 000008
【図８】
0003709478.tif 000009
【図９】
0003709478.tif 000010